(57)【要約】【課題】従来の位置合わせは、時間が掛かってしまうのに加え作業者の負担も大きく、正確な位置合わせが難しく、鋼板の意図する位置に正確に合わせることが容易ではなく、検出装置のコスト増大をもたらし、十分な検出精度を確保するのが困難であった。【解決手段】平置き状態にある鋼板Ｗ（矩形状の検出対象物）に対向しつつ移動可能に配置され、移動時、鋼板Ｗの一辺Ｗｓを範囲内とする、鋼板Ｗの一辺Ｗｓと交差方向に延びる線状の検出エリア１１ａを持つヘッド部１３、及びヘッド部１３から入力した検出情報に基づき鋼板Ｗの位置情報を出力するコントローラ１４を備えたレーザ変位計１１と、ヘッド部１３を、鋼板Ｗの一辺Ｗｓの一方の端部側から他方の端部側へと検出移動させる移動機構１２とを有する。レーザ変位計１１を用い、ヘッド部１３を、鋼板Ｗの一辺Ｗｓの一方の端部側から他方の端部側へと検出移動させ、鋼板Ｗの置き位置を検出する。【選択図】図１
2017020808.tif 000002
【特許請求の範囲】
【請求項１】
平置き状態にある矩形状の検出対象物に対向しつつ移動可能に配置され、移動時、前記検出対象物の一辺を範囲内とする、前記検出対象物の一辺と交差方向に延びる線状の検出エリアを持つヘッド部、及び前記ヘッド部から入力した検出情報に基づき前記検出対象物の位置情報を出力するコントローラを備えたレーザ変位計と、
前記ヘッド部を、前記検出対象物の一辺の一方の端部側から他方の端部側へと検出移動させる移動機構と
を有する位置検出装置。
【請求項２】
前記レーザ変位計は、青色半導体レーザをレーザ光光源とする請求項１に記載の位置検出装置。
【請求項３】
前記レーザ変位計は、前記検出対象物の端面形状を検出可能とする測定範囲を有する請求項１または２に記載の位置検出装置。
【請求項４】
平置き状態にある矩形状の検出対象物に対向しつつ移動可能に配置され、移動時、前記検出対象物の一辺を範囲内とする、前記検出対象物の一辺と交差方向に延びる線状の検出エリアを持つヘッド部を備えた、レーザ変位計を用い、前記ヘッド部を、前記検出対象物の一辺の一方の端部側から他方の端部側へと検出移動させ、前記検出対象物の置き位置を検出する位置検出方法。
【請求項５】
前記ヘッド部の検出移動を前記検出対象物の一辺の両端部近傍間で一回行い、前記検出対象物の一辺の両端部の座標値と一辺の傾き角度を検出する請求項４に記載の位置検出方法。
【請求項６】
前記ヘッド部の検出移動は、前記ヘッド部の検出移動の速度に比べ低速度で行う、前記検出対象物の一辺の両端部における端部確認移動を伴う請求項４または５に記載の位置検出方法。
【請求項７】
請求項１から３のいずれか一項に記載の位置検出装置を備えた、前記検出対象物へのマーキングを行うマーキング機、或いは前記検出対象物に施されたマーキング形状に基づき前記検出対象物を切断する切断機。
【発明の詳細な説明】
【技術分野】
【０００１】
この発明は、矩形状の検出対象物における位置を検出するための位置検出装置及び位置検出方法であり、特に、レーザ変位計を用いて、自動的に矩形状の検出対象物である鋼板におけるマーキング位置や切断位置等を検出するための、位置検出装置及び位置検出方法に関する。
【背景技術】
【０００２】
従来、矩形状の鋼板の切断加工を行う場合、加工対象となる鋼板に、部材名や加工後の鋼板に接合する部材の取付位置等をマーキングする必要があることから、マーキングと切断とを別々の数値制御（ｎｕｍｅｒｉｃａｌ  ｃｏｎｔｒｏｌ：ＮＣ）装置であるマーキング機や切断機で行う場合には、それぞれのＮＣプログラム開始位置が同じになるように、位置合わせをする必要があった。
【０００３】
位置合わせは、ＮＣ装置であるマーキング機や切断機の鋼板載置面に置かれた鋼板に対して、鋼板載置面における鋼板の角位置と置かれた角度を検出して行われる。具体的には、例えば、鋼板の一辺の両角部に、マーキング機や切断機に搭載した、レーザ投光器等のスポットやＩＴＶ（ｉｎｄｕｓｔｒｉａｌ  ｔｅｌｅｖｉｓｉｏｎ）カメラのモニター画面上の十字マークを、目視で合わせることで、角部の座標位置を検出して鋼板の形状と置かれ方を判定し、鋼板に合わせたプログラム開始点と座標回転によるプログラム座標系を設定する。
【０００４】
この位置合わせのための鋼板における位置検出としては、一例として、レーザ変位計を用いて鋼板の表面にビームをスキャンし、鋼板の凹凸の変化を検出する方法（特許文献１参照）、或いは鋼板の位置をＣＣＤ（ｃｈａｒｇｅ  ｃｏｕｐｌｅｄ  ｄｅｖｉｃｅ）カメラで撮像して位置を検出する方法（特許文献２参照）が知られている。
【先行技術文献】
【特許文献】
【０００５】
【特許文献１】特開２０００−１５８１６９号公報
【特許文献２】特開平０５−１２３８６３号公報
【発明の概要】
【発明が解決しようとする課題】
【０００６】
しかしながら、従来のスポットや十字マークの位置合わせは、作業者が目視により操作盤の手動スイッチを操作し機械（マーキング機や切断機）を移動させて行うため、位置合わせの精度を高めようとすれば、スイッチ操作による遅れによって生じる停止位置のずれを小さくするように、機械の移動速度を遅くして慎重に行う必要があり、時間が掛かってしまうのに加え作業者の負担も大きかった。
また、作業者が目視により行うため、鋼板の角部が溶け等により欠けていたりダレていると、角を特定することができず正確な位置合わせが難しかった。
【０００７】
更に、スポットによる位置合わせの場合、スポット径が３〜５ｍｍ程度あるため、スポットの中心を、鋼板の意図する位置に正確に合わせることが容易ではなかった。
なお、スポットや十字マークの位置合わせを検出センサを用いて自動的に行う、従来の自動位置検出方法でも、鋼板の一辺側の角Ａと角Ｂの位置を特定するため、角Ａと角Ｂそれぞれの近辺にて検出センサを前後及び左右に動かし、四箇所のエッジの位置を検出して、鋼板の角度と傾きを計測しており、検出に時間が掛かるのは避けられなかった。
【０００８】
特に、従来のレーザ変位計を用いる方法では、スポットでの検出のため、レーザ変位計で鋼板上面を広くスキャンしながら端面を検出する必要があるため、検出に時間が掛かることになり、加えて、鋼板の端部がダレたり曲がったりしている場合が多いことから、精度良く検出するためにはレーザ変位計の高さを一定にする必要があり、そのためのレーザ変位計を上下させる上下機構を備えなければならず、検出装置のコスト増大をもたらしていた。
【０００９】
また、従来のＣＣＤカメラを用いる方法では、現場の照明が不十分な場合が多く、画像処理では、鋼板と鋼板載置面（切断定盤）とを判別するのが容易ではないのに加え、ＣＣＤカメラと鋼板との距離が変化すると、ＣＣＤカメラの画像の大きさが変わってしまうので、画像を介して端面位置を検出する際に十分な検出精度を確保するのが困難であった。
この発明の目的は、平置き状態にある矩形状の検出対象物の角位置と配置角度を、目視によらず、コスト増大を招くことなく、且つ、時間が掛からずに、十分な精度を確保して検出することができる位置検出装置及び位置検出方法を提供することである。
【課題を解決するための手段】
【００１０】
上記目的を達成するため、この発明に係る位置検出装置は、平置き状態にある矩形状の検出対象物に対向しつつ移動可能に配置され、移動時、前記検出対象物の一辺を範囲内とする、前記検出対象物の一辺と交差方向に延びる線状の検出エリアを持つヘッド部、及び前記ヘッド部から入力した検出情報に基づき前記検出対象物の位置情報を出力するコントローラを備えたレーザ変位計と、前記ヘッド部を、前記検出対象物の一辺の一方の端部側から他方の端部側へと検出移動させる移動機構とを有することを特徴とする。この発明に係る位置検出装置によれば、平置き状態にある矩形状の検出対象物の角位置と配置角度を、目視によらず、コスト増大を招くことなく、且つ、時間が掛からずに、十分な精度を確保して検出することができる。
【００１１】
この発明の位置検出装置では、前記レーザ変位計は、青色半導体レーザをレーザ光光源とすることが好ましい。この構成によれば、検出対象物が鋼板である場合に位置検出精度を上げることができる。
この発明の位置検出装置では、前記レーザ変位計は、前記検出対象物の端面形状を検出可能とする測定範囲を有することが好ましい。この構成によれば、検出対象物が鋼板である場合に、鋼板の端面（切断面）形状を直接検出することができる。
【００１２】
また、この発明に係る位置検出方法は、平置き状態にある矩形状の検出対象物に対向しつつ移動可能に配置され、移動時、前記検出対象物の一辺を範囲内とする、前記検出対象物の一辺と交差方向に延びる線状の検出エリアを持つヘッド部を備えた、レーザ変位計を用い、前記ヘッド部を、前記検出対象物の一辺の一方の端部側から他方の端部側へと検出移動させ、前記検出対象物の置き位置を検出することを特徴とする。この発明に係る位置検出方法によれば、平置き状態にある矩形状の検出対象物の角位置と配置角度を、目視によらず、コスト増大を招くことなく、且つ、時間が掛からずに、十分な精度を確保して検出することができる。
【００１３】
この発明の位置検出方法では、前記ヘッド部の検出移動を前記検出対象物の一辺の両端部近傍間で一回行い、前記検出対象物の一辺の両端部の座標値と一辺の傾き角度を検出することが好ましい。この構成によれば、時間が掛からず迅速に検出することができる。
この発明の位置検出方法では、前記ヘッド部の検出移動は、前記ヘッド部の検出移動の速度に比べ低速度で行う、前記検出対象物の一辺の両端部における端部確認移動を伴うことが好ましい。この構成によれば、検出精度を高めることができる。
【発明の効果】
【００１４】
この発明によれば、平置き状態にある矩形状の検出対象物の角位置と配置角度を、目視によらず、コスト増大を招くことなく、且つ、時間が掛からずに、十分な精度を確保して検出することができる。
【図面の簡単な説明】
【００１５】
【図１】この発明の一実施の形態に係る位置検出装置の構成を模式的に示すブロック図である。
【図２】この発明に係る位置検出方法による検出処理に対応する鋼板と検出エリアの関係を示す説明図である。
【図３】この発明に係る位置検出方法の処理手順の一例の流れ示すフローチャートである。
【発明を実施するための形態】
【００１６】
以下、この発明を実施するための形態について図面を参照して説明する。
図１は、この発明の一実施の形態に係る位置検出装置の構成を模式的に示すブロック図である。図１に示すように、位置検出装置１０は、レーザ変位計１１と移動機構１２を有しており、レーザ変位計１１により、矩形状の検出対象物に向けレーザ光ａを照射することで、検出対象物の置き位置を検出する。矩形状の検出対象物は、例えば、基板や建材ボードの非金属製板体等、或いは、押し出し成型品や形鋼の金属製板体等であり、本実施の形態では鋼板Ｗである。
【００１７】
この位置検出装置１０は、例えば、鋼板Ｗへのマーキングを行うマーキング機（図示しない）、或いは鋼板Ｗに施されたマーキング形状に基づき鋼板Ｗを切断する切断機（図示しない）に備えられており、マーキング機や切断機の検出対象物載置面ｂ（例えば、切断機においては切断定盤）に平置き状態に置かれた鋼板Ｗの、検出対象物載置面ｂにおける置き位置、即ち載置状態を検出する。なお、位置検出装置１０は、マーキング機や切断機に個別に備えられる他、マーキング機能と切断機能を両方備えた一体型機に備えられていても良い。
【００１８】
レーザ変位計１１は、ヘッド部１３とコントローラ１４を有しており、ヘッド部１３は、レーザ光光源１３ａから鋼板Ｗに向けレーザ光ａを照射すると共に鋼板Ｗからの反射光を受光して、鋼板Ｗの変位を検出し、コントローラ１４は、ヘッド部１３から入力した検出情報に基づき鋼板Ｗの位置情報を出力する。ヘッド部１３は、例えば、マーキング機や切断機の検出対象物載置面ｂに平置き状態にある鋼板Ｗに対向しつつ移動可能に配置されており、この移動時、鋼板Ｗの一辺を範囲内とする、鋼板Ｗの一辺と交差方向に延びる線状の検出エリア１１ａを持っている。
【００１９】
つまり、ヘッド部１３は、平置き状態にある鋼板Ｗの上方に位置して、レーザ光光源１３ａの照射方向を鋼板Ｗに向けた、鋼板Ｗと対向した状態のまま移動することができ、検出エリア１１ａは、ヘッド部１３の移動時に、鋼板Ｗの一辺を検出範囲内に位置させることができる長さの、鋼板Ｗの一辺と交差方向に延びる線状に形成されている。
【００２０】
このような検出エリア１１ａを持つヘッド部１３により、レーザ変位計１１は、鋼板Ｗの端面形状を検出可能とする測定範囲を有しており、鋼板Ｗの端面（切断面）形状を直接検出することができる。
ヘッド部１３は、本実施の形態において、鋼板Ｗに向けて照射する照射ビームの照射方向をＺ軸、レーザ変位計１１（即ち、ヘッド部１３）の移動方向に直交する鋼板Ｗの幅方向をＹ軸として、例えば、Ｚ軸方向距離が基準距離３００ｍｍに対し増減約１４５ｍｍ（３００±１４５ｍｍ）、Ｙ軸方向距離が基準距離１８０ｍｍに対し近距離（ニア）側約１１０ｍｍ、遠距離（ファー）側約２４０ｍｍとなる検出移動（スキャン）範囲を有している。
【００２１】
レーザ光光源には、本実施の形態において、青色半導体レーザが用いられている。青色半導体レーザは、波長が４０５ｎｍと短い為、レーザスポット径を絞り込んで小さくすることができ、微細な形状変化の測定が可能である。また、反射率が低い材料でも、波長が短いため反射光が十分得られることから、黒皮、錆び、塗装膜等が付着した鋼板表面の影響を受けないで、形状測定ができるため、検出対象物が鋼板Ｗである場合に位置検出精度を上げることができ、レーザ変位計１１のレーザ光光源として適している。
コントローラ１４は、ヘッド部１３からの検出情報に基づく鋼板Ｗの位置情報を出力信号ｃとして出力するのに加え、電源のオン・オフ等のレーザ変位計１１における各種作動を制御する。
【００２２】
移動機構１２は、平置き状態にある鋼板Ｗの上方に位置するヘッド部１３を、鋼板Ｗと対向した状態のまま、鋼板Ｗの一辺の一方の端部（角部）側から他方の端部（角部）側へと、レーザ光照射に伴う位置検出のための移動、即ち検出移動（スキャン）させるための機構である。この移動機構１２は、例えば、鋼板Ｗを載置する検出対象物載置面ｂの両側に設けたガイドレールと、鋼板Ｗに照射方向を向けたヘッド部１３を鋼板Ｗの上方に保持して、ガイドレールに沿って移動する門型状の支持部と、を有している。
【００２３】
同様の構成を有するものとしては、例えば、切断機における、切断定盤の被切断材設置面に沿って切断ヘッドを移動可能に支持するヘッド移動装置が挙げられる（特許文献１参照）。
本実施形態において、ヘッド部１３は、例えば、マーキング機や切断機の移動機構１２に設置され、コントローラ１４は、例えば、マーキング機や切断機の制御盤内に収納されている。
【００２４】
続いて、この発明に係る位置検出方法を説明する。
この発明に係る位置検出方法は、この発明に係る位置検出装置１０を用いて行われ、上述したレーザ変位計１１のヘッド部１３を、検出対象物載置面ｂに平置き状態にある、矩形状の検出対象物である鋼板Ｗの、一辺の一方の端部（角部）側から他方の端部（角部）側へと検出移動させることにより、鋼板Ｗの検出対象物載置面ｂにおける置き位置、即ち載置状態を検出する。レーザ変位計１１のヘッド部１３は、移動機構１２を介し、手動で或いは駆動機構（図示しない）を用いて自動的に、検出移動させることができる。
駆動機構は、コントローラ１４により、その作動が制御されており、例えば、マーキング機や切断機に備えられているものを、同様にマーキング機や切断機に備えられている移動機構１２と共に、使用しても良い。
【００２５】
図２は、この発明に係る位置検出方法による検出処理に対応する鋼板と検出エリアの関係を示す説明図である。図２に示すように、矩形状（本実施の形態においては長方形）の鋼板Ｗは、検出対象物載置面ｂに平置き状態（図１参照）で、位置検出のためにヘッド部１３を移動させる方向である検出移動方向（図２中、矢印ｄ１参照）に、長辺方向が位置するように配置されている。このヘッド部１３の検出移動方向を縦方向（即ち、Ｘ方向）、ヘッド部１３の検出移動方向と直交する方向を幅方向（即ち、Ｙ方向）、ヘッド部１３の検出移動方向側の端部をボトム側端部Ｗｂ、ヘッド部１３の検出移動方向と逆向き方向側の端部をトップ側端部Ｗｔとする。
【００２６】
図３は、この発明に係る位置検出方法の処理手順の一例の流れ示すフローチャートである。図３に示すように、先ず、鋼板Ｗの表面Ｗｕに設定された検出開始点Ｓ（図２参照）から、ヘッド部１３の検出移動方向（図２中、矢印ｄ１参照）とは逆方向に、ヘッド部１３を移動させて（図２中、矢印ｄ２参照）、鋼板Ｗのボトム側端部Ｗｂを検出する、端部確認移動を行う（ステップＳ１０１）。
端部確認移動を行うに際し、ヘッド部１３は、レーザ光光源１３ａから鋼板Ｗに向けレーザ光ａを照射すると共に鋼板Ｗからの反射光を受光して、鋼板Ｗの変位を検出する、検出動作を開始する。
【００２７】
このヘッド部１３の端部確認移動による鋼板Ｗのボトム側端Ｗｂの検出は、レーザ変位計１１の検出エリア１１ａが、ヘッド部１３の移動時、鋼板Ｗの一辺Ｗｓ（本実施の形態では、縦方向の側辺）を範囲内とする、一辺Ｗｓと交差方向に延びる線状に形成されていることから、ヘッド部１３の移動に伴って鋼板Ｗの表面Ｗｕを移動する検出エリア１１ａに、一辺Ｗｓの切れ目とボトム側端部Ｗｂが交差する角部Ｐ０が位置することで、行われる（図２参照）。
ヘッド部１３による端部確認移動により鋼板Ｗのボトム側端Ｗｂを検出したら、ヘッド部１３の検出動作及び端部確認移動を停止し、ヘッド部１３による端部確認移動により検出した角部Ｐ０の座標値を、鋼板ＷのＰ０点座標として設定する（ステップＳ１０２）。
【００２８】
次に、ヘッド部１３を自動的に移動させるか否かを判定し（ステップＳ１０３）、自動的に移動させる（Ｙｅｓ）場合、駆動機構により自動的にヘッド部１３の移動を開始する。自動的に移動を開始することにより、ヘッド部１３は、検出動作を開始したヘッド部１３が鋼板Ｗの一辺Ｗｓを検出している間、即ち、一辺Ｗｓを検出エリア１１ａに位置させた状態で、鋼板Ｗのボトム側端部Ｗｂからトップ側端部Ｗｔ方向へと向かって検出移動方向（図２中、矢印ｄ１参照）に移動する、検出移動を行う（ステップＳ１０４）。
【００２９】
次に、ヘッド部１３の検出移動中、鋼板Ｗの一辺Ｗｓが検出エリア１１ａから外れているか否かを判定し（ステップＳ１０５）、検出エリア１１ａから外れていない（Ｎｏ）場合、ヘッド部１３の検出移動を継続し（ステップＳ１０６）、一方、検出エリア１１ａから外れている（Ｙｅｓ）場合、一辺Ｗｓが検出エリア１１ａ内に位置するように、検出エリア１１ａの位置、即ち、ヘッド部１３の位置を、検出移動方向（図２中、矢印ｄ１参照）と直交する横方向へと移動させた（ステップＳ１０７）後、ヘッド部１３の検出移動を継続する（ステップＳ１０６）。
なお、ヘッド部１３の検出移動中、鋼板Ｗの一辺Ｗｓが検出エリア１１ａから外れているのを検出したら、警告音や警告灯（例えば、赤色灯）等による警告を発するようにしても良い。
【００３０】
次に、ヘッド部１３の検出移動により鋼板Ｗの表面Ｗｕを移動する検出エリア１１ａに、それまで位置していた鋼板Ｗの一辺Ｗｓが位置しなくなったら、即ち、検出エリア１１ａが鋼板Ｗから外れたら、ヘッド部１３の検出動作及び検出移動を停止する（ステップＳ１０８）。
検出エリア１１ａが鋼板Ｗから外れたことは、検出エリア１１ａの、横方向への移動、つまり、ヘッド部１３の検出移動方向（図２中、矢印ｄ１参照）に直交する方向への移動、を数回繰り返して行っても、検出エリア１１ａに鋼板Ｗの一辺Ｗｓが入ってこなかった場合に判定する。これにより、検出エリア１１ａがトップ側端部Ｗｔに到達したものと認識する。
【００３１】
ヘッド部１３の検出動作及び検出移動を停止した後、ヘッド部１３を、検出移動方向（図２中、矢印ｄ１参照）とは逆の方向（図２中、矢印ｄ３参照）に移動させて、鋼板Ｗのトップ側端部Ｗｔを検出する、端部確認移動を行う（ステップＳ１０９）。
一方、ヘッド部１３を自動的に移動させるか否かの判定（ステップＳ１０３）において、自動的に移動させない（Ｎｏ）場合、手動で、ヘッド部１３を鋼板Ｗのトップ側端部Ｗｔ付近まで検出移動させ（ステップＳ１１０）、移動を停止した後、ヘッド部１３を、検出移動方向（図２中、矢印ｄ１参照）とは逆の方向（図２中、矢印ｄ３参照）に移動させて、鋼板Ｗのトップ側端部Ｗｔを検出する、端部確認移動を行う（ステップＳ１０９）。
【００３２】
このヘッド部１３の端部確認移動による鋼板Ｗのトップ側端部Ｗｔの検出は、レーザ変位計１１の検出エリア１１ａが、ヘッド部１３の移動時、鋼板Ｗの一辺Ｗｓ（本実施の形態では、縦幅方向の側辺）を範囲内とする、一辺Ｗｓと交差方向に延びる線状に形成されていることから、ヘッド部１３の移動に伴って鋼板Ｗの表面Ｗｕを移動する検出エリア１１ａに、一辺Ｗｓの切れ目とトップ側端部Ｗｔが交差する角部Ｐ１が位置することで、行われる（図２参照）。
ヘッド部１３による端部確認移動を行い、鋼板Ｗのトップ側端部Ｗｔを検出した後、ヘッド部１３の検出動作及び端部確認移動を停止し、ヘッド部１３による端部確認移動により検出した角部Ｐ１の座標値を、鋼板ＷのＰ１点座標として設定する（ステップＳ１１１）。
【００３３】
次に、鋼板Ｗのトップ側端部Ｗｔの角部Ｐ１の座標を読み込み、鋼板ＷのＰ１点座標として登録し、鋼板Ｗが載置されている検出対象物載置面ｂにおける鋼板Ｗの傾きを求める（ステップＳ１１２）。
その後、ヘッド部１３を、鋼板Ｗのボトム側端Ｗｂの角部Ｐ０位置まで戻し、鋼板ＷのＰ０点座標値及びＰ１点座標値から、検出対象物載置面ｂにおける鋼板Ｗの傾き角度を算出し、算出した角度に基づいた座標の回転を設定し（ステップＳ１１３）、処理を終了する。
なお、鋼板Ｗに対する、ヘッド部１３の検出移動に伴って行われる端部確認移動は、ヘッド部１３の検出移動の速度に比べ低速度で行われるが、これは、検出移動の速度に比べ低速度とすることで、検出精度を高めるためである。
【００３４】
従って、上述した位置検出方法により、例えば、矩形状の鋼板Ｗに、部材名や加工後の鋼板Ｗに接合する部材の取付位置等をマーキングして、切断加工を行う場合、以下の手順で行う。
先ず、マーキング機及び切断機のそれぞれの制御装置は、上述した位置検出装置１０を用いた位置検出方法により計測した鋼板Ｗの角部位置と傾き角に基づいて、マーキング及び切断のプログラム開始点の位置と座標系を、鋼板の置かれた状態に合わせて設定する。次に、マーキング機にて鋼板Ｗ上に所定のマーキングを行い、その後、鋼板Ｗを切断機の定盤に移動し、切断機に搭載したレーザ変位計１１を用いて、鋼板Ｗの角位置と傾き角度を計測し、切断開始点の位置及び座標系の設定を行って、切断を行う。
【００３５】
このように、本実施形態においては、上述した、レーザ変位計１１を有する位置検出装置１０を用いた位置検出方法により、レーザ変位計１１を鋼板Ｗの一辺Ｗｓの延びる方向に沿って、一方向、即ち、ヘッド部１３の検出移動方向（図２中、矢印ｄ１参照）に移動するだけで、容易、且つ、正確に鋼板Ｗの位置検出ができ、また、ヘッド部１３の検出移動を鋼板Ｗの一辺Ｗｓの両端部近傍間で一回行うことで、鋼板Ｗの一辺Ｗｓの両端部の座標値と一辺Ｗｓの傾き角度を、時間が掛からず迅速に検出することができる。
よって、鋼板Ｗ（矩形状の検出対象物）の角位置と配置角度を、目視によらず、コスト増大を招くことなく、且つ、時間が掛からずに、十分な精度を確保して検出することができる。
【産業上の利用可能性】
【００３６】
この発明によれば、平置き状態にある矩形状の検出対象物の角位置と配置角度を、目視によらず、コスト増大を招くことなく、且つ、時間が掛からずに、十分な精度を確保して検出することができるので、平置き状態にある矩形状の検出対象物の置き位置を検出するための装置及び方法に最適である。
【符号の説明】
【００３７】
１０  位置検出装置
１１  レーザ変位計
１１ａ  検出エリア
１２  移動機構
１３  ヘッド部
１３ａ  レーザ光光源
１４  コントローラ
Ｐ０，Ｐ１  角部
Ｓ  検出開始点
Ｗ  鋼板
Ｗｂ  ボトム側端部
Ｗｔ  トップ側端部
Ｗｕ  表面
Ｗｓ  一辺
ａ  レーザ光
ｂ  検出対象物載置面
ｃ  出力信号
ｄ１，ｄ２，ｄ３  矢印
【図１】
2017020808.tif 000003
【図２】
2017020808.tif 000004
【図３】
2017020808.tif 000005